(57)【要約】【課題】演出効果を向上できる飾り枠および照明装置を提供する。【解決手段】飾り枠32は、透光性を有するとともに、一端側に光が入射する入射開口57および他端側に光が出射する出射開口58を有する筒状の枠体56を備える。枠体56の内周に、枠体56の他端側に向けて内径が小さくなるように傾斜する傾斜面69を設ける。【選択図】図１
2017054730.tif 000002
【特許請求の範囲】
【請求項１】
透光性を有するとともに、一端側に光が入射する入射開口および他端側に光が出射する出射開口を有する筒状の枠体と；
前記枠体の内周に設けられ、前記枠体の他端側に向けて内径が小さくなるように傾斜する傾斜面と；
を具備することを特徴とする飾り枠。
【請求項２】
前記枠体の外周に凹凸部が形成されている
ことを特徴とする請求項１記載の飾り枠。
【請求項３】
照射開口を有する筐体と；
前記照射開口に対向して前記筐体に設けられた光源部と；
前記筐体の前記照射開口に一端側が配設された請求項１または２記載の飾り枠と；
を具備することを特徴とする照明装置。
【発明の詳細な説明】
【技術分野】
【０００１】
本発明の実施形態は、照明装置に用いられる飾り枠、およびこの飾り枠を用いた照明装置に関する。
【背景技術】
【０００２】
従来、例えばスポットライトなどの照明装置では、ハロゲンランプなどのランプを用いる場合、ランプ自体の光り方を様々な方向から見ることができ、照明空間の演出効果として活用されている。
【０００３】
また、ランプを器具内に配置する照明装置では、演出効果が限定されやすい。また、照明装置の光源としてランプからＬＥＤなどの発光素子への移行が進んでいるが、この場合にも、演出効果が限定されやすい。
【先行技術文献】
【特許文献】
【０００４】
【特許文献１】特開２０１４−２１１９９７号公報
【発明の概要】
【発明が解決しようとする課題】
【０００５】
本発明が解決しようとする課題は、演出効果を向上できる飾り枠および照明装置を提供することである。
【課題を解決するための手段】
【０００６】
実施形態の飾り枠は、透光性を有するとともに、一端側に光が入射する入射開口および他端側に光が出射する出射開口を有する筒状の枠体を備える。枠体の内周に、枠体の他端側に向けて内径が小さくなるように傾斜する傾斜面を設ける。
【発明の効果】
【０００７】
本発明によれば、演出効果の向上を期待できる。
【図面の簡単な説明】
【０００８】
【図１】一実施形態を示す飾り枠および照明装置の断面図である。
【図２】同上照明装置の斜視図である。
【図３】同上照明装置の分解斜視図である。
【発明を実施するための形態】
【０００９】
以下、一実施形態を、図１ないし図３を参照して説明する。
【００１０】
図２および図３に示すように、照明装置10は、スポットライトである。照明装置10は、天井などに設置された配線レールの任意の場所に取り付けられるとともに電気的に接続されるように構成されている。
【００１１】
照明装置10は、電源部11、アーム12、連結部13および灯体14を備えている。
【００１２】
そして、電源部11は、長方形状のボックス17、およびこのボックス17内に収容された電源回路18を備えている。
【００１３】
ボックス17の上部両端には、配線レールに着脱可能に取り付けられる取付部19，20がそれぞれ回動可能に設けられているとともに、ボックス17の両端には、取付部19，20を回動操作するレバー21，22がそれぞれ突設されている。一方の取付部19には、一対の端子23が設けられ、取付部19を配線レールに取り付けることにより、配線レール内に配線されている一対の導体に電気的に接続される。一対の導体には交流電源が供給され、一対の導体から一対の端子23を通じて電源回路18に交流電源が供給される。
【００１４】
電源回路18は、交流電源を入力し、所定の直流電源に変換して灯体14側に供給する。
【００１５】
また、アーム12は、アーム部25、およびこのアーム部25の下端側部から側方に突設されたリンク部26を備えている。アーム部25は、円筒状で、上端が電源部11のボックス17の下部一端に旋回可能に取り付けられている。
【００１６】
また、連結部13は、灯体14の後部側に固定されており、アーム12のリンク部26が連結軸28によって回動可能に連結されている。そして、灯体14は、連結軸28を中心として回動可能で、灯体14の上下方向の光照射向きを調整可能としている。
【００１７】
また、図１ないし図３に示すように、灯体14は、筐体30、この筐体30の前部側に設けられた光源部31、および飾り枠32を備えている。
【００１８】
筐体30は、金属製で、一体に形成されている。金属としては、例えばアルミダイカストが用いられている。筐体30は、円筒状に形成された筒部34を有している。筒部34には、前側筒部35および後側筒部36を有するとともに、これら前側筒部35と後側筒部36との間であって筐体30の外周に環状の溝部37が形成されている。前側筒部35の内部には前方に開口する前側空間38が形成され、後側筒部36の内部には後方に開口する後側空間39が形成され、筐体30内の前側空間38と後側空間39との間にはこれら前側空間38と後側空間39とを仕切る壁部40が設けられている。壁部40の前面には、中央に発光モジュール取付面41が形成されている。筐体30の前端側には、照射開口42が形成されているとともに、この照射開口42の内側に環状の係合溝43が形成されている。筐体30は、後側空間39に突出する複数のフィン44を備えている。複数のフィン44は筐体30の中心から放射状に形成されている。筐体30の外周の溝部37と筐体30内の後側空間39とは、複数の連通孔45によって連通されている。複数の連通孔45は、それぞれ、フィン44とフィン44の間から後側空間39に連通されている。
【００１９】
また、図１に示すように、光源部31は、筐体30の前側空間38に収容されている。光源部31は、光源としての発光モジュール46、およびこの発光モジュール46からの光を所定の配光に制御するレンズ47を備えている。
【００２０】
発光モジュール46は、基板48、およびこの基板48に実装された複数の発光素子49を備えている。発光モジュール46には、基板48に実装された複数の発光素子49としてのＬＥＤを蛍光体層で封止して発光部を構成するＣＯＢモジュールが用いられている。そして、発光モジュール46は壁部40の発光モジュール取付面41に配置され、基板48の周囲にホルダ50が嵌合され、ホルダ50を貫通する複数のねじ51が壁部40にそれぞれ螺着されることにより、発光モジュール46が発光モジュール取付面41に取り付けられている。そして、この発光モジュール46と電源回路18とは配線によって電気的に接続されている。
【００２１】
レンズ47は、透光性を有する樹脂材料によって形成されている。レンズ47は、発光モジュール46の発光部に対向して配光を制御するレンズ本体52、このレンズ本体52の前端外周に突設されたフランジ53、およびレンズ本体52の後側から突設された複数のボス54を備えている。そして、レンズ47は、前側空間38に挿入され、フランジ53が筐体30の段部に嵌合され、ねじ55が後側空間39から壁部40を通じてボス54に螺着されることにより、筐体30に固定されている。
【００２２】
また、飾り枠32は、例えば透明な樹脂材料などの透光性を有する材料によって形成されている。飾り枠32は、中央部が開口された円筒状の枠体56を有している。枠体56は筐体30と略同径に形成されている。枠体56の一端側である後端側に光源部31からの光が入射する入射開口57が設けられ、枠体56の他端側である前端側に光が出射する出射開口58が設けられている。
【００２３】
枠体56の後端側には筐体30に取り付けられる取付部59が設けられ、枠体56の前端側には光制御部60が設けられている。
【００２４】
取付部59には、筐体30の照射開口42の内側に嵌合される嵌合部61が形成されているとともに、この嵌合部61の外周に筐体30の前端側が嵌合する嵌合溝62が形成されている。嵌合部61には、一対のスリット63が対向して形成されているとともに、これらスリット63に対して交差する位置に切欠部64が形成されている。
【００２５】
取付部59は、嵌合部61の外周に配置されるばね65によって筐体30に着脱可能に取り付けられている。ばね65は、Ｃリング状に形成され、嵌合部61のスリット63にそれぞれ係合する一対の係合部66が突設されているとともに、両端に切欠部64に配置される引掛部67が形成されている。そして、嵌合部61の外周に配置されたばね65の直径は、筐体30の照射開口42の内径よりも少し大きく、ばね65が外径側から押されることで筐体30の照射開口42の内径まで弾性変形可能になっている。そのため、嵌合部61を筐体30の照射開口42の内側に挿入することにより、ばね65が内径側に弾性変形した後、ばね65が係合溝43に到達することでばね65が外径方向に移動して係合溝43に係合し、飾り枠32が筐体30に保持され、また、飾り枠32をばね65の弾性に抗して枠体56から前方に移動させることにより、飾り枠32を枠体56から取り外し可能になっている。
【００２６】
光制御部60は、枠体56の前端側に向けて肉厚が厚くなるように設けられている。光制御部60の内周には、枠体56の前端側に向けて内径が小さくなるように傾斜する傾斜面69が設けられている。
【００２７】
光制御部60の前端には、傾斜面69の前端から枠体56の前端外径側に向けて拡開するように傾斜する反射面70が形成されている。反射面70は、枠体56の前端側に向けて内径側が大きくなるように傾斜されている。
【００２８】
光制御部60の外周には、枠体56の後側に凹凸部71が形成され、前側に凹凸のない面状部72が形成されている。凹凸部71は、枠体56の周囲に沿って突出する環状の凸レンズ73を備え、複数の凸レンズ73が枠体56の軸方向に並んで構成されている。なお、凹凸部71は、凸レンズ73に限らず、三角形状のプリズムによって構成してもよい。凹凸部71は傾斜面69の前後方向の後側部分の外径側に配設され、面状部72は傾斜面69の前後方向の前側部分の外径側に配設されている。
【００２９】
そして、このように構成された照明装置10を設置するには、電源部11の取付部19，20を天井に設置されている配線レールに挿入し、レバー21，22を回動操作することにより、電源部11を配線レールに固定するととともに電気的に接続する。
【００３０】
電源部11に対してアーム12を中心に灯体14を旋回させ、水平方向における灯体14の光照射方向を調整するとともに、アーム12に対して連結軸28を中心に灯体14を回動させ、上下方向における灯体14の光照射向きを調整する。なお、図１には、灯体14の光照射方向を直下方向に向けた状態を示す。
【００３１】
そして、配線レールから電源回路18に交流電源が供給されることにより、電源回路18によって交流電源から変換した直流電源を発光モジュール46の発光素子49に供給する。電源供給された発光素子49が発光し、発光素子49からの光がレンズ47を通過して灯体14の前面から出射する。
【００３２】
レンズ47を通過する光は飾り枠32に入射開口57から飾り枠32の内側空間に入射する。飾り枠32の内側空間に入射した一部の光は、飾り枠32の内側空間を通過し、出射開口58から出射される。
【００３３】
飾り枠32の内側空間に入射した他の一部の光は、飾り枠32の内周の傾斜面69に入射する。傾斜面69に入射した光は、飾り枠32の内部に屈折して入射し、飾り枠32の外周から出射する。
【００３４】
このとき、傾斜面69の前端側に入射した光L1は、飾り枠32の内部に入射した後、反射面70で全反射し、飾り枠32の外周の面状部72から出射する。この場合、光L1の出射方向から飾り枠32を見ると、反射面70で光源部31（発光モジュール46の発光部）が反射して見え、きらめき感が得られる。
【００３５】
さらに、傾斜面69の後端側に入射した光L2は、飾り枠32の内部に入射した後、飾り枠32の外周の凹凸部71へ向かい、凸レンズ73の表面から出射する。この場合、光L2が凸レンズ73の表面から出射するため、飾り枠32に対していろいろな方向から見ても、光L2がきらめいているように見え、きらめき感が得られる。
【００３６】
したがって、飾り枠32の外周の異なる２箇所からの異なる光L1および光L2を見ることができるため、高いきらめき感が得られ、空間の演出効果を高めることができる。
【００３７】
また、飾り枠32の内周には、飾り枠32の前端側に向けて内径が小さくなるように傾斜する傾斜面69が設けられているため、光源部31（発光モジュール46の発光部）から傾斜面69に入射する光の入射角度が大きく、光が飾り枠32の内部に入射しやすくできる。そのため、飾り枠32の内部に入射する光が多くなって、飾り枠32の外周から出射する光が多くなり、きらめき感がより向上し、空間の演出効果をより高めることができる。
【００３８】
さらに、傾斜面69を設けることにより、反射面70の径方向の寸法を長くし、反射面積を大きくすることができるため、きらめき感がより向上し、空間の演出効果をより高めることができる。
【００３９】
また、飾り枠32の反射面70で反射する光が出射する飾り枠32の外周部分には面状部72を設け、凹凸部71を設けていないため、反射面70で反射する光を拡散せずに出射し、きらめき感を得られやすくすることができる。
【００４０】
なお、飾り枠32を用いる照明装置10としては、スポットライトに限らず、例えば、ダウンライトや、ペンダント形照明器具などにも適用できる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
10    照明装置
30    筐体
31    光源部
32    飾り枠
42    照射開口
56    枠体
57    入射開口
58    出射開口
69    傾斜面
71    凹凸部
【図１】
2017054730.tif 000003
【図２】
2017054730.tif 000004
【図３】
2017054730.tif 000005